(57)【要約】【課題】  視聴者が画面切替操作を行なわずにコンテンツの視聴を中断した場合、視聴を中断した時点での記録媒体におけるコンテンツの位置を記憶する視聴中断位置記憶装置を提供する。【解決手段】  外部から画面切替操作が行なわれない場合に、視聴者がコンテンツを視聴しているか否かを判定する視聴状態判定部１１と、視聴状態判定部１１によって視聴者がコンテンツの視聴を中断したと判定された場合、中断したと判定された時点での記録媒体におけるコンテンツの位置を記憶する位置記憶部１３とを備える。【選択図】  図１
2005218025.tif 000002
【特許請求の範囲】
【請求項１】
視聴者がコンテンツの視聴を中断した時点での記録媒体における前記コンテンツの位置を記憶する視聴中断位置記憶装置であって、
外部から画面切替操作が行なわれない場合に、前記視聴者が前記コンテンツを視聴しているか否かを判定する視聴状態判定手段と、
前記視聴状態判定手段によって前記視聴者が前記コンテンツの視聴を中断したと判定された場合、前記中断したと判定された時点での前記記録媒体における前記コンテンツの位置を記憶する位置記憶手段と
を備えることを特徴とする視聴中断位置記憶装置。
【請求項２】
前記視聴状態判定手段によって前記視聴者が再生されている前記コンテンツの視聴を中断したと判定された場合、
前記位置記憶手段は、前記中断したと判定された時点での前記コンテンツの前記記録媒体における再生点を、前記記録媒体における前記コンテンツの位置として記憶する
ことを特徴とする請求項１記載の視聴中断位置記憶装置。
【請求項３】
前記視聴状態判定手段によって前記視聴者が前記コンテンツの視聴を中断したと判定された時点以降の前記コンテンツが前記記録媒体に記録される場合、
前記位置記憶手段は、前記中断したと判定された時点での前記コンテンツの前記記録媒体への記録点を、前記記録媒体における前記コンテンツの位置として記憶する
ことを特徴とする請求項１記載の視聴中断位置記憶装置。
【請求項４】
前記視聴中断位置記憶装置は、更に、
前記視聴者の視線方向を検出する視線方向検出手段を備え、
前記視聴状態判定手段は、前記視線方向検出手段により得られた検出結果に基づいて、前記視聴者が前記コンテンツを視聴しているか否かを判定する
ことを特徴とする請求項１から３のいずれか１項に記載の視聴中断位置記憶装置。
【請求項５】
前記視聴中断位置記憶装置は、更に、
前記視聴者の眼球運動を解析する眼球運動解析手段を備え、
前記視線方向検出手段は、前記眼球運動解析手段により得られた解析結果に基づいて、前記視聴者の視線方向を検出する
ことを特徴とする請求項４記載の視聴中断位置記憶装置。
【請求項６】
前記視聴中断位置記憶装置は、更に、
前記視聴者が睡眠状態にある場合を検出する睡眠検出手段を備え、
前記視聴状態判定手段は、前記睡眠検出手段により得られた検出結果に基づいて、前記視聴者が前記コンテンツを視聴しているか否かを判定する
ことを特徴とする請求項１から３のいずれか１項に記載の視聴中断位置記憶装置。
【請求項７】
前記視聴中断位置記憶装置は、更に、
前記視聴者の眼球運動を解析する眼球運動解析手段と、
前記視聴者の脈拍を測定する脈拍測定手段とを備え、
前記睡眠検出手段は、前記眼球運動解析手段により得られた解析結果と、前記脈拍測定手段により得られた測定結果とに基づいて、前記視聴者が睡眠状態にある場合を検出する
ことを特徴とする請求項６記載の視聴中断位置記憶装置。
【請求項８】
前記視聴中断位置記憶装置は、更に、
前記視聴者が発話した場合を検出する発話検出手段を備え、
前記視聴状態判定手段は、前記発話検出手段により得られた検出結果に基づいて、前記視聴者が前記コンテンツを視聴しているか否かを判定する
ことを特徴とする請求項１から３のいずれか１項に記載の視聴中断位置記憶装置。
【請求項９】
前記視聴中断位置記憶装置は、更に、
音を集めるマイクを備え、
前記発話検出手段は、前記マイクにより集められた音の量に基づいて、前記視聴者が発話した場合を検出する
ことを特徴とする請求項８記載の視聴中断位置記憶装置。
【請求項１０】
前記視聴中断位置記憶装置は、更に、
携帯電話の着信を検出する着信検出手段を備え、
前記視聴状態判定手段は、前記着信検出手段により得られた検出結果に基づいて、前記視聴者が前記コンテンツを視聴しているか否かを判定する
ことを特徴とする請求項１から３のいずれか１項に記載の視聴中断位置記憶装置。
【請求項１１】
前記視聴中断位置記憶装置は、更に、
前記携帯電話の受信電波のエネルギー又は電力を測定する電波測定手段を備え、
前記着信検出手段は、前記電波測定手段により得られた測定結果に基づいて、前記携帯電話の着信を検出する
ことを特徴とする請求項１０記載の視聴中断位置記憶装置。
【請求項１２】
前記視聴中断位置記憶装置は、更に、
前記視聴者の動作の有無を検出する動作検出手段を備え、
前記視聴状態判定手段は、前記動作検出手段により得られた検出結果に基づいて、前記視聴者が前記コンテンツを視聴しているか否かを判定する
ことを特徴とする請求項１から３のいずれか１項に記載の視聴中断位置記憶装置。
【請求項１３】
前記視聴中断位置記憶装置は自動車に搭載される装置であり、前記視聴者は前記自動車の運転者であって、
前記視聴中断位置記憶装置は、更に、
前記運転者が運転状態にある場合を検出する運転検出手段を備え、
前記視聴状態判定手段は、前記運転検出手段により得られた検出結果に基づいて、前記視聴者が前記コンテンツを視聴しているか否かを判定する
ことを特徴とする請求項１から３のいずれか１項に記載の視聴中断位置記憶装置。
【請求項１４】
前記視聴中断位置記憶装置は、更に、
前記自動車の速度を測定する車速測定手段を備え、
前記運転検出手段は、前記車速測定手段により得られた測定結果に基づいて、前記運転者が運転状態にある場合を検出する
ことを特徴とする請求項１３記載の視聴中断位置記憶装置。
【請求項１５】
前記視聴中断位置記憶装置は、更に、
前記自動車が駐車状態にある場合を検出する駐車状態検出手段を備え、
前記運転検出手段は、前記駐車状態検出手段により得られた検出結果に基づいて、前記運転者が運転状態にある場合を検出する
ことを特徴とする請求項１３記載の視聴中断位置記憶装置。
【請求項１６】
前記視聴中断位置記憶装置は自動車に搭載される装置であり、
前記視聴中断位置記憶装置は、更に、
前記自動車が急加速又は急制動の状態にある場合を検出する走行状態検出手段を備え、
前記視聴状態判定手段は、前記走行状態検出手段により得られた検出結果に基づいて、前記視聴者が前記コンテンツを視聴しているか否かを判定する
ことを特徴とする請求項１から３のいずれか１項に記載の視聴中断位置記憶装置。
【請求項１７】
前記視聴中断位置記憶装置は自動車に搭載される装置であり、
前記視聴中断位置記憶装置は、更に、
前記自動車の加速度を測定する加速度測定手段を備え、
前記視聴状態判定手段は、前記加速度測定手段により得られた測定結果に基づいて、前記視聴者が前記コンテンツを視聴しているか否かを判定する
ことを特徴とする請求項１から３のいずれか１項に記載の視聴中断位置記憶装置。
【請求項１８】
コンテンツを再生する再生装置であって、
請求項１から１７のいずれか１項に記載の視聴中断位置記憶装置と、
コンテンツを再生する再生手段と
を備えることを特徴とする再生装置。
【請求項１９】
コンテンツを記録する記録装置であって、
請求項１から１７のいずれか１項に記載の視聴中断位置記憶装置と、
前記視聴中断位置記憶装置により前記視聴者が前記コンテンツの視聴を中断したと判定された時点以降に外部から入力されるコンテンツを、前記記録媒体に記録する記録手段と
を備えることを特徴とする記録装置。
【請求項２０】
コンテンツを記録するとともに再生する再生装置であって、
請求項１９記載の記録装置と、
前記記録媒体に記録されているコンテンツを再生する再生手段と
を備えることを特徴とする再生装置。
【請求項２１】
前記再生手段は、前記視聴者の再生指示に基づいて、前記視聴者が前記コンテンツの視聴を中断した時点から前記コンテンツを再生する
ことを特徴とする請求項１８又は２０記載の再生装置。
【請求項２２】
前記再生手段は、前記視聴中断位置記憶装置により前記視聴者が前記コンテンツの視聴を再開したと判定された場合、前記視聴者が前記コンテンツの視聴を中断した時点から前記コンテンツを再生する
ことを特徴とする請求項１８又は２０記載の再生装置。
【請求項２３】
視聴者がコンテンツの視聴を中断した時点での記録媒体における前記コンテンツの位置を記憶する視聴中断位置記憶方法であって、
外部から画面切替操作が行なわれない場合に、前記視聴者が前記コンテンツを視聴しているか否かを判定する視聴状態判定ステップと、
前記視聴状態判定ステップにおいて前記視聴者が前記コンテンツの視聴を中断したと判定した場合、前記中断したと判定した時点での前記記録媒体における前記コンテンツの位置を記憶する位置記憶ステップと
を含むことを特徴とする視聴中断位置記憶方法。
【請求項２４】
視聴者がコンテンツの視聴を中断した時点での記録媒体における前記コンテンツの位置を記憶するためのプログラムであって、
外部から画面切替操作が行なわれない場合に、前記視聴者が前記コンテンツを視聴しているか否かを判定する視聴状態判定ステップと、
前記視聴状態判定ステップにおいて前記視聴者が前記コンテンツの視聴を中断したと判定した場合、前記中断したと判定した時点での前記記録媒体における前記コンテンツの位置を記憶する位置記憶ステップと
をコンピュータに実行させるためのプログラム。
【発明の詳細な説明】
【技術分野】
【０００１】
本発明は、視聴者がコンテンツの視聴を中断した時点での記録媒体におけるそのコンテンツの位置を記憶する視聴中断位置記憶装置、並びにその視聴中断位置記憶装置を備える再生装置及び記録装置に関する。
【背景技術】
【０００２】
従来の技術としては、ＤＶＤ等の記録媒体に予め記録されているコンテンツを視聴している視聴者が表示画面を再生画面から操作入力画面に切り替えた場合、その切替時点での記録媒体におけるコンテンツ再生位置を記憶し、再生再開時には記憶した位置からコンテンツの再生を再開する技術がある。一例を図７に示す。具体的には、切り替え検出部７１が映像の再生状態から操作入力画面であるメニューモードへの切り替えを検出すると、位置記憶部７４はその時点での再生位置を記憶する。再生再開部７５は、車両が走行状態であることを検出するとメニューモードを解除するメニュー解除部７３によりメニューモードが解除されたときに、位置記憶部７４に記憶された位置からＤＶＤの再生を再開する。これにより、視聴者は、コンテンツ再生中に再生を中断しても、再開時にはその続きを視聴することができる（例えば特許文献１参照）。
【特許文献１】特開２００２−１６８５０号公報
【発明の開示】
【発明が解決しようとする課題】
【０００３】
しかしながら、上記技術では、コンテンツ視聴中の視聴者の明示的な画面切替操作に伴ってコンテンツの再生位置を記憶することができるが、視聴者の画面切替操作なしにコンテンツの再生位置を記憶することはできない。
そこで、本発明は、上記課題を考慮し、視聴者が画面切替操作を行なわずにコンテンツの視聴を中断した場合、視聴を中断した時点での記録媒体におけるコンテンツの位置を記憶する視聴中断位置記憶装置を提供することを目的とする。
【０００４】
また、本発明は、視聴者が画面切替操作を行なわずにコンテンツの視聴を中断した後に視聴を再開した場合、視聴を中断した時点からコンテンツを視聴可能な再生装置及び記録装置を提供することを目的とする。
【課題を解決するための手段】
【０００５】
上記課題を解決するために、本発明の視聴中断位置記憶装置は、視聴者がコンテンツの視聴を中断した時点での記録媒体における前記コンテンツの位置を記憶する装置であって、外部から画面切替操作が行なわれない場合に、前記視聴者が前記コンテンツを視聴しているか否かを判定する視聴状態判定手段と、前記視聴状態判定手段によって前記視聴者が前記コンテンツの視聴を中断したと判定された場合、前記中断したと判定された時点での前記記録媒体における前記コンテンツの位置を記憶する位置記憶手段とを備えることを特徴とする。
【０００６】
このように、本発明の視聴中断位置記憶装置は、視聴者が画面切替操作を行なわなかった場合であっても、視聴者がコンテンツの視聴を中断した時点での記録媒体におけるそのコンテンツの位置を記憶する。そのため、その位置を利用することにより、視聴者が画面切替操作を行なわずにコンテンツの視聴を中断した後に視聴を再開した場合、視聴を中断した時点からコンテンツの再生を再開させることができる。
【０００７】
具体的には、前記視聴状態判定手段によって前記視聴者が再生されている前記コンテンツの視聴を中断したと判定された場合、前記位置記憶手段は、前記中断したと判定された時点での前記コンテンツの再生点を、前記記録媒体における前記コンテンツの位置として記憶する。また、少なくとも前記視聴状態判定手段によって前記視聴者が前記コンテンツの視聴を中断したと判定された時点以降の前記コンテンツが前記記録媒体に記録される場合、前記位置記憶手段は、前記中断したと判定された時点での前記コンテンツの前記記録媒体への記録点を、前記記録媒体における前記コンテンツの位置として記憶する。このようにして記憶された再生点又記録点を利用することにより、視聴者が画面切替操作を行なわずにコンテンツの視聴を中断した後に視聴を再開した場合、視聴を中断した時点からコンテンツの再生を再開させることができる。
【発明の効果】
【０００８】
本発明は、視聴者が画面切替操作を行なわずにコンテンツの視聴を中断した場合、視聴を中断した時点での記録媒体におけるコンテンツの位置を記憶する視聴中断位置記憶装置を提供することができる。
また、本発明は、視聴者が画面切替操作を行なわずにコンテンツの視聴を中断した後に視聴を再開した場合、視聴を中断した時点からコンテンツを視聴可能な再生装置及び記録装置を提供することができる。
【発明を実施するための最良の形態】
【０００９】
以下、本発明を実施するための最良の形態について、図面を用いて詳細に説明する。
（実施の形態１）
先ず、本発明の実施の形態１における視聴中断位置記憶装置１を備える記録再生装置１０の構成について図１を用いて説明する。
図１は、本発明の実施の形態１における記録再生装置１０の構成を示すブロック図である。本実施の形態１における記録再生装置１０は、コンテンツの記録及び再生を行なう装置であって、視聴中断位置記憶装置１と、記録再生制御部２と、記録再生部３と、記憶部４と、再生再開指示部５とから構成される。なお、記録再生部３は、記憶部４に記録されているコンテンツを再生するとともに、記録再生装置１０に装着される記録媒体６（例えばＤＶＤ）に記録されているコンテンツも再生する。
【００１０】
視聴中断位置記憶装置１は、視聴者がコンテンツの視聴を中断した時点を判定し、中断時点を特定する判定情報を記録再生制御部２へ出力するとともに、中断時点での記憶部４又は記録媒体６におけるコンテンツの位置を記憶する装置である。視聴中断位置記憶装置１の内部構成は後述する。記録再生制御部２は、視聴者が現在放送中番組を視聴している状況において、視聴者がその番組の視聴を中断した時に視聴中断位置記憶装置１から受け取る判定情報に基づいて、視聴者が番組の視聴を中断した時点から、その番組の入力映像・音声を記憶部４に記録させるための制御信号を記録再生部３に出力する。また、記録再生制御部２は、再生再開指示部５からの下記再生再開指示に基づいて、視聴者がコンテンツの視聴を中断した時点からそのコンテンツの再生を再開させるための制御信号を記録再生部３に出力する。記録再生部３は、外部から入力される現在放送中番組の入力映像・音声をそのまま出力し、また、記録再生制御部２からの制御信号に基づいて上記現在放送中番組の入力映像・音声を記憶部４に記録し、また、そのようにして記録したコンテンツ及びＤＶＤ等の記録媒体６に予め記録されているコンテンツを再生する。なお、記録再生制御部２は、視聴中断位置記憶装置１から判定情報を受け取った場合、記録再生部３が行なう現在放送中番組の入力映像・音声の出力及び、記憶部４又は記録媒体６に記録されているコンテンツの再生を停止させてもよいし、停止させなくてもよい。また、記録再生制御部２は、判定情報を受け取った場合、表示画面の電源をオフにしてもよいし、又は出力音量を低下させるなどしてもよい。記憶部４はコンテンツを記録するための機能を有し、記録媒体の一例である。再生再開指示部５は、視聴者からコンテンツの再生再開指示を受け付け、その再生再開指示を記録再生制御部２へ出力する。なお、再生再開指示部５は例えばボタンである。
【００１１】
次に、視聴中断位置記憶装置１の内部構成を説明する。視聴中断位置記憶装置１は、上述したように、視聴者がコンテンツの視聴を中断した時点を判定し、中断時点での記憶部４又は記録媒体６におけるコンテンツの位置を記憶する装置であって、図１に示すように、視聴状態判定部１１と、判定出力部１２と、位置記憶部１３とから構成される。
視聴状態判定部１１は、視聴者がコンテンツを視聴しているか否かを判定することにより、視聴者がコンテンツの視聴を中断した時点を判定する。視聴状態判定部１１の内部構成については図２を用いて後述する。判定出力部１２は、視聴状態判定部１１によって判定された視聴者がコンテンツの視聴を中断した時点を特定する判定情報を記録再生制御部２へ出力する。位置記憶部１３は、視聴者が現在放送中番組（コンテンツの一例）を視聴している状況において、視聴状態判定部１１によって視聴者がコンテンツの視聴を中断したと判定された場合、判定情報に基づく記録再生制御部２の制御により記録再生部３が入力映像・音声を記憶部４に記録することを開始した時の記憶部４における記録開始アドレスを記憶する。また、位置記憶部１３は、視聴者が以前記録したコンテンツ（例えば番組）又はＤＶＤ等の記録媒体６に予め記録されているコンテンツを視聴している状況において、視聴状態判定部１１によって視聴者がコンテンツの視聴を中断したと判定された場合、その中断時点での記憶部４又は記録媒体６におけるコンテンツの再生アドレスを記憶する。ここで、位置記憶部１３が記憶するアドレスは、位置そのものであってもよいし、例えば視聴中断時点でのコンテンツ全体の先頭部からの経過時間であってもよく、位置を特定することができる情報でありさえすればよい。
【００１２】
次に、視聴状態判定部１１の内部構成について図２を用いて説明する。図２は視聴状態判定部１１の構成を示すブロック図ある。視聴状態判定部１１は、上述したように、視聴者がコンテンツの視聴を中断した時点を判定する構成部であって、眼球運動解析部２１と、視線方向検出部２２と、脈拍測定部２３と、睡眠検出部２４と、マイク２５と、発話検出部２６と、電波測定部２７と、着信検出部２８と、視聴者動作検出部２９と、判定部３０とから構成される。
【００１３】
眼球運動解析部２１は、例えばコンテンツを表示する表示画面の上部所定の位置に設けられ、視聴者の眼球運動を解析し、眼球運動情報を出力する。具体的には例えば眼圧監視装置により構成される（特表平９−５０９３３４参照）。視線方向検出部２２は、眼球運動情報に基づき視聴者の視線方向を検出し、視線方向情報を出力する。脈拍測定部２３は、視聴者の腕に装着されて視聴者の脈拍を測定し、脈拍情報を出力する。睡眠検出部２４は、眼球運動情報及び脈拍情報に基づき視聴者が睡眠状態にある場合を検出し、睡眠検出情報を出力する。マイク２５は、例えば上記表示画面の側部所定の位置に設けられ、視聴者の声を集音する。発話検出部２６は、マイク２５が集音した音の量に基づき、視聴者が発話した場合を検出する。電波測定部２７は、視聴者が所持する携帯電話の保持具に設けられ、その携帯電話の受信電波のエネルギー又は電力を測定し、受信電波情報を出力する。着信検出部２８は、受信電波情報に基づき、携帯電話の着信を検出する。視聴者動作検出部２９は、例えば上記表示画面の上部所定の位置に設けられたカメラからの映像信号を解析するなどにより、視聴者の身体の動作の有無を検出する。判定部３０は、視線方向検出部２２、睡眠検出部２４、発話検出部２６、着信検出部２８、及び視聴者動作検出部２９の全部又は一部により得られた検出結果に基づき、視聴者がコンテンツの視聴を中断した時点を判定する。
【００１４】
次いで、本発明の実施の形態１における記録再生装置１０の動作を、図１及び図２とともに図３を用いて説明する。
図３は、実施の形態１における記録再生装置１０の動作の流れを示すフローチャートである。
先ず、記録再生部３は、現在放送中番組、記憶部４に既に記録されているコンテンツ、及びＤＶＤ等の記録媒体６に予め記録されているコンテンツのうちで、視聴者により選択されたいずれか一つのコンテンツを出力する。これにより、視聴者は、記録再生部３によって出力されるコンテンツを視聴する。このように視聴者がコンテンツを視聴している状況で、視聴中断位置記憶装置１における視聴状態判定部１１は、視聴者がコンテンツを視聴しているか否かを判定する（Ｓ１）。
【００１５】
具体的には、眼球運動解析部２１は、視聴者の眼球運動を解析し眼球運動情報を視線方向検出部２２及び睡眠検出部２４に出力する。視線方向検出部２２は、眼球運動情報を用いて、視聴者の視線方向を検出する。判定部３０は、視線方向検出部２２により得られた検出結果と、予め記憶している、視聴者がコンテンツを視聴している場合の視線方向の情報とに基づいて、視聴者が記録再生部３によって提供されている映像（コンテンツ）を見ているかどうかを判定する（Ｓ１）。
【００１６】
また、脈拍測定部２３は、視聴者の脈拍を測定し脈拍情報を睡眠検出部２４に出力する。睡眠検出部２４は、眼球運動情報及び脈拍情報と、予め記憶している、視聴者が睡眠状態にある場合の眼球運動及び脈拍を特定する睡眠特定情報とを用いて、視聴者が睡眠状態にある場合を検出する。例えば、視聴者が睡眠状態にある場合、眼球運動は起こらず脈拍も高くないほぼ一定の値が連続するので、睡眠検出部２４は、そのような状況を特定する睡眠特定情報を予め記憶しておき、その睡眠特定情報を利用して視聴者が睡眠状態にある場合を検出する。睡眠状態にあると検出された場合、判定部３０は、視聴者が記録再生部３によって提供されている映像（コンテンツ）を見ていないと判定する（Ｓ１）。
【００１７】
また、マイク２５は、視聴者の声を集音し、発話検出部２６は、マイク２５が集音した音の量からコンテンツの音量を差し引くなどにより、マイク２５が集音した音の量に基づいて視聴者の発話を検出する。視聴者が発話している状態にあることが検出された場合、判定部３０は、視聴者が発話に神経を集中させていてコンテンツから視線を外すものとみなし、視聴者が記録再生部３によって提供されている映像（コンテンツ）を見ていないと判定する（Ｓ１）。
【００１８】
また、電波測定部２７は、携帯電話の受信電波のエネルギー又は電力を測定し、着信検出部２８は、受信電波のエネルギー又は電力により携帯電話の着信を検出する。携帯電話の着信が検出された場合、判定部３０は、視聴者が通話に神経を集中させていてコンテンツから視線を外すものとみなし、視聴者が記録再生部３によって提供されている映像（コンテンツ）を見ていないと判定する（Ｓ１）。
【００１９】
また、視聴者動作検出部２９は、視聴者の身体の動作を検出し、判定部３０は、視聴者動作検出部２９が検出した動作の情報に基づいて、視聴者が動作中である、すなわち視聴中でないことを判定する（Ｓ１）。具体的には、動作がある一定時間以上続いた場合や、続かない場合であっても動作と停止をある一定時間に所定の回数繰り返した場合などに、判定部３０は、視聴者が視聴中でないことを判定する（Ｓ１）。
【００２０】
なお、判定部３０は、視聴者がコンテンツを見ていないと認識される状態が例えば１５秒等の所定の期間継続する場合に、視聴者がコンテンツを見ていないと判定してもよい。
さて、判定部３０が視聴者が記録再生部３によって提供されている映像（コンテンツ）を見ていると判定した場合（Ｓ１でＹｅｓ）、判定部３０は、視聴者が上記映像（コンテンツ）を見ているか否かを判定する動作を継続する。
【００２１】
他方、視聴者が上記映像（コンテンツ）を見ていないと判定部３０が判定した場合（Ｓ１でＮｏ）、判定出力部１２は、視聴状態判定部１１の判定部３０によって判定された視聴者がコンテンツの視聴を中断した時点を特定する判定情報を記録再生制御部２へ出力する（Ｓ２）。記録再生制御部２は、その判定情報に基づいて、視聴者が現在放送中番組を視聴していたか否かを判断し（Ｓ３）、視聴者が現在放送中番組を視聴していた場合、（Ｓ３でＹｅｓ）、視聴者が番組の視聴を中断した時点から、その番組の入力映像・音声を記憶部４に記録させるための制御信号を記録再生部３に出力する。記録再生部３は、その制御信号に基づいて、視聴者が番組の視聴を中断した時点から、その番組の入力映像・音声の記憶部４への記録を開始する（Ｓ４）。また、位置記憶部１３は、記憶部４に記録される入力映像・音声の記録開始点を記憶する（Ｓ５）。
【００２２】
他方、視聴者が記憶部４に既に記録されているコンテンツ又は記録媒体６に予め記録されているコンテンツの再生映像・再生音声を視聴していた場合（Ｓ３でＮｏ）、位置記憶部１３は、視聴者がコンテンツの視聴を中断した時点でのコンテンツの再生点を記憶する（Ｓ６）。
再生再開時には、視聴者は再生再開指示部５にコンテンツの再生再開指示を入力する。再生再開指示部５が例えばボタンであれば、視聴者はそのボタンを押すことにより、再生再開指示を入力する。記録再生制御部２は、その再生再開指示に基づいて、位置記憶部１３が記憶する位置からコンテンツの再生を再開させるための制御信号を記録再生部３へ出力し、記録再生部３はその制御信号に基づいて、位置記憶部１３が記憶する位置からコンテンツの再生を再開する。
【００２３】
以上のように、本実施の形態１における記録再生装置１０は、現在放送中番組を表示中又は記録媒体（記憶部４及び記録媒体６）に記録されているコンテンツ再生中に、視聴者が画面切替操作を伴わない何らかの原因で視聴をやめた場合でも、視聴をやめた時点での記憶部４又は記録媒体６におけるコンテンツの位置を記憶する。記録再生装置１０は、その位置を利用することにより、後に、視聴者が視聴をやめた時点からコンテンツの再生を再開させることができ、この発明の実用性は極めて高い。
【００２４】
なお、視聴者がコンテンツを視聴しているかどうかの判定に用いる手段は、眼球運動解析部２１、脈拍測定部２３、マイク２５、電波測定部２７、視聴者動作検出部２９のみに限定されない。また、眼球運動解析部２１及び視線方向検出部２２、眼球運動解析部２１及び脈拍測定部２３及び睡眠検出部２４、マイク２５及び発話検出部２６、電波測定部２７及び着信検出部２８、視聴者動作検出部２９のうちの一部のみが記録再生装置１０に設けられていてもよい。
【００２５】
また、位置記憶部１３は、図４に示すように、視聴者がコンテンツの視聴を中断したときの年月日と、視聴中断時点でのアドレス（記録開始点又は再生点）とを組にして記憶してもよい。図４は、位置記憶部１３が記憶する情報の一例を示す図である。位置記憶部１３が、図４に示すような、視聴中断時の年月日とその時点でのアドレス（記録開始点又は再生点）とを組にして記憶しておけば、視聴者が視聴中断時の年月日と再生再開指示とを再生再開指示部５に入力すると、記録再生装置１０は、その年月日に視聴を中断したコンテンツの続きを再生することができる。これにより、視聴者は、その年月日に視聴を中断したコンテンツの続きを視聴することができる。
【００２６】
また、上述した実施の形態１では、コンテンツの再生再開は、視聴者が再生再開指示部５に再生再開指示を入力することにより行なわれる。しかしながら、視聴中断位置記憶装置１における視聴状態判定部１１は、視聴者がコンテンツの視聴を中断したことを判定した後に視聴していることを判定することができる。その時点は視聴再開時である。そこで、視聴状態判定部１１が、視聴者がコンテンツの視聴を中断したことを判定した後に視聴していることを判定した場合、記録再生制御部２は、再生再開指示がなされたものとみなし、位置記憶部１３が記憶する位置からコンテンツの再生を再開させるための制御信号を記録再生部３へ出力し、記録再生部３はその制御信号に基づいて、位置記憶部１３が記憶する位置からコンテンツの再生を再開してもよい。これにより、視聴者は、明示的に再生再開指示を行なわなくてもコンテンツの再生を再開させることができる。なお、記録再生制御部２は、視聴中断時に表示画面の電源をオフにしていた場合、再生再開指示がなされたものとみなしたとき、表示画面の電源をオンにする。また、記録再生制御部２は、視聴中断時に出力音量を低下させていた場合、再生再開指示がなされたものとみなしたとき、出力音量を増加させる。
【００２７】
（実施の形態２）
本発明の実施の形態２における記録再生装置１０について図５を用いて説明する。
図５は、本発明の実施の形態２における記録再生装置１０の視聴状態判定部１１の構成を示すブロック図である。実施の形態１における記録再生装置１０の設置場所については言及していないが、本実施の形態２における記録再生装置１０は自動車に搭載される。また、視聴状態判定部１１の内部構成が実施の形態１と実施の形態２とでは少し異なる。その点が実施の形態１と実施の形態２との主な相違点であるので、実施の形態２では、実施の形態１との相違部分を中心に説明する。なお、実施の形態２では、視聴者は自動車の運転者であると仮定する。
【００２８】
視聴状態判定部１１は、眼球運動解析部２１と、視線方向検出部２２と、マイク２５と、発話検出部２６と、電波測定部２７と、着信検出部２８と、視聴者動作検出部２９と、判定部３０と、車速測定部５１と、運転検出部５２とから構成される。
眼球運動解析部２１、視線方向検出部２２、マイク２５、発話検出部２６、電波測定部２７、着信検出部２８、視聴者動作検出部２９の機能及び動作は実施の形態１のものと変わらない。
【００２９】
車速測定部５１は、自動車の走行速度を測定し、速度情報を運転検出部５２に出力する。運転検出部５２は、走行速度が０でない旨の速度情報を受け取った場合に、自動車の運転者が自動車を運転中であることを検出する。
判定部３０は、視線方向検出部２２、発話検出部２６、着信検出部２８、視聴者動作検出部２９、運転検出部５２の全部又は一部により得られた検出結果に基づき、視聴者がコンテンツの視聴を中断した時点を判定する。
【００３０】
次いで、本発明の実施の形態２における記録再生装置１０の視聴状態判定部１１の動作を図５に基づいて説明する。
眼球運動解析部２１は、視聴者の眼球運動を解析し眼球運動情報を視線方向検出部２２に出力する。視線方向検出部２２は、眼球運動情報を用いて、視聴者の視線方向を検出する。判定部３０は、視線方向検出部２２により得られた検出結果を利用して、視聴者が記録再生部３が提供する映像（コンテンツ）を見ているかどうかを判定する。
【００３１】
また、マイク２５は、視聴者の声を集音し、発話検出部２６は、マイク２５が集音した音の量に基づいて視聴者の発話を検出し、視聴者が発話している状態にあることが検出された場合、判定部３０は、視聴者が記録再生部３によって提供されている映像（コンテンツ）を見ていないと判定する。
また、電波測定部２７は、携帯電話の受信電波のエネルギー又は電力を測定し、着信検出部２８は、受信電波のエネルギー又は電力により携帯電話の着信を検出し、携帯電話の着信が検出された場合、判定部３０は、視聴者が記録再生部３によって提供されている映像（コンテンツ）を見ていないと判定する。
【００３２】
また、視聴者動作検出部２９は、視聴者の身体の動作を検出し、判定部３０は、視聴者動作検出部２９が検出した動作の情報に基づいて、視聴者が動作中である、すなわち視聴中でないことを判定する。具体的には、動作がある一定時間以上続いた場合や、続かない場合であっても動作と停止をある一定時間に所定の回数繰り返した場合などに、判定部３０は、視聴者が視聴中でないことを判定する。
【００３３】
また、車速測定部５１は、自動車の走行速度を測定し、運転検出部５２は、走行速度に基づき自動車の運転者が運転中である場合を検出し、運転中であると検出された場合、判定部３０は、視聴者が運転を開始したことによりコンテンツから視線を外すものとみなし、視聴者が記録再生部３によって提供されている映像（コンテンツ）を見ていないと判定する。
【００３４】
このように、判定部３０が、視聴者が記録再生部３によって提供されている映像（コンテンツ）を見ていないと判定すると、判定出力部１２は、判定部３０によって判定された視聴者がコンテンツの視聴を中断した時点を特定する判定情報を記録再生制御部２へ出力する。出力された判定情報に基づく記録再生装置１０の動作は、実施の形態１と同様である。すなわち、位置記憶部１３は、視聴者がコンテンツの視聴を中断した時点でのコンテンツの記録開始点又は再生点を記憶する。
【００３５】
以上のように、本実施の形態２における記録再生装置１０は、現在放送中番組を表示中又は記録媒体に記録されているコンテンツ再生中に、視聴者である自動車の運転者が運転を開始するなどにより画面切替操作を伴わずに視聴をやめた場合でも、視聴をやめた時点での記録媒体におけるコンテンツの位置を記憶する。記録再生装置１０は、その位置を利用することにより、後に、視聴者が視聴をやめた時点からコンテンツの再生を再開させることができ、この発明の実用性は極めて高い。
【００３６】
なお、視聴者がコンテンツを視聴しているかどうかの判定に用いる手段は、眼球運動解析部２１、マイク２５、電波測定部２７、視聴者動作検出部２９、車速測定部５１のみに限定されない。また、眼球運動解析部２１及び視線方向検出部２２、マイク２５及び発話検出部２６、電波測定部２７及び着信検出部２８、視聴者動作検出部２９、車速測定部５１及び運転検出部５２のうちの一部のみが記録再生装置１０に設けられていてもよい。
【００３７】
また、視聴状態判定部１１は、車速測定部５１に加え、又は車速測定部５１に替えて、自動車が駐車状態にある場合を検出する駐車状態検出部を備えていてもよく、この場合は、駐車状態検出部が自動車が駐車状態にある場合を検出したときに駐車状態検出情報を運転検出部５２に出力し、運転検出部５２は駐車状態検出情報を受け取った場合に、自動車の運転者が自動車を運転中であることを検出する。
【００３８】
（実施の形態３）
本発明の実施の形態３における記録再生装置１０について図６を用いて説明する。
図６は、本発明の実施の形態３における記録再生装置１０の視聴状態判定部１１の構成を示すブロック図である。本実施の形態３における記録再生装置１０は、実施の形態２と同様に自動車に搭載される。しかしながら、本実施の形態３の視聴状態判定部１１の内部構成は実施の形態２と少し異なる。その点が実施の形態２と実施の形態３との主な相違点であるので、実施の形態３では、実施の形態２との相違部分を中心に説明する。なお、実施の形態３では、視聴者は自動車の着座者であると仮定する。
【００３９】
視聴状態判定部１１は、眼球運動解析部２１と、視線方向検出部２２と、脈拍測定部２３と、睡眠検出部２４と、マイク２５と、発話検出部２６と、電波測定部２７と、着信検出部２８と、視聴者動作検出部２９と、判定部３０と、加速度測定部６１と、走行状態検出部６２とから構成される。
眼球運動解析部２１、視線方向検出部２２、脈拍測定部２３、睡眠検出部２４、マイク２５、発話検出部２６、電波測定部２７、着信検出部２８、視聴者動作検出部２９の機能及び動作は実施の形態１のものと変わらない。
【００４０】
加速度測定部６１は、自動車にかかる加速度を測定し、加速度情報を走行状態検出部６２に出力する。走行状態検出部６２は、加速度情報に基づき、自動車が急加速または急制動の状態にある場合を検出する。
判定部３０は、視線方向検出部２２、睡眠検出部２４、発話検出部２６、着信検出部２８、視聴者動作検出部２９、走行状態検出部６２の全部又は一部により得られた検出結果に基づき、視聴者がコンテンツの視聴を中断した時点を判定する。
【００４１】
次いで、本発明の実施の形態３における記録再生装置１０の視聴状態判定部１１の動作を図６に基づいて説明する。
眼球運動解析部２１は、視聴者の眼球運動を解析し眼球運動情報を視線方向検出部２２及び睡眠検出部２４に出力する。視線方向検出部２２は、眼球運動情報を用いて、視聴者の視線方向を検出する。判定部３０は、視線方向検出部２２により得られた検出結果を利用して、視聴者が記録再生部３が提供する映像（コンテンツ）を見ているかどうかを判定する。
【００４２】
また、脈拍測定部２３は、視聴者の脈拍を測定し脈拍情報を睡眠検出部２４に出力する。睡眠検出部２４は、眼球運動情報及び脈拍情報を用いて、視聴者が睡眠状態にある場合を検出し、睡眠状態にあると検出された場合、判定部３０は、視聴者が記録再生部３によって提供されている映像（コンテンツ）を見ていないと判定する。
また、マイク２５は、視聴者の声を集音し、発話検出部２６は、マイク２５が集音した音の量に基づいて視聴者の発話を検出し、視聴者が発話している状態にあることが検出された場合、判定部３０は、視聴者が記録再生部３によって提供されている映像（コンテンツ）を見ていないと判定する。
【００４３】
また、電波測定部２７は、携帯電話の受信電波のエネルギー又は電力を測定し、着信検出部２８は、受信電波のエネルギー又は電力により携帯電話の着信を検出し、携帯電話の着信が検出された場合、判定部３０は、視聴者が記録再生部３によって提供されている映像（コンテンツ）を見ていないと判定する。
また、視聴者動作検出部２９は、視聴者の身体の動作を検出し、判定部３０は、視聴者動作検出部２９が検出した動作の情報に基づいて、視聴者が動作中である、すなわち視聴中でないことを判定する。具体的には、動作がある一定時間以上続いた場合や、続かない場合であっても動作と停止をある一定時間に所定の回数繰り返した場合などに、判定部３０は、視聴者が視聴中でないことを判定する。
【００４４】
また、加速度測定部６１は、自動車にかかる加速度を測定し、走行状態検出部６２は、自動車が急加速又は急制動の状態にある場合を検出する。自動車の急加速又は急制動が検知された場合、判定部３０は、視聴者が自動車の急加速又は急制動のために姿勢を変えざるをえなくなりコンテンツから視線を外すものとみなし、視聴者が記録再生部３によって提供されている映像（コンテンツ）を見ていないと判定する。なお、判定部３０は、走行状態検出部６２によって、自動車が急加速の状態にあることが検出された場合にのみ、視聴者が映像（コンテンツ）を見ていないと判定してもよい。また、それとは逆に、判定部３０は、走行状態検出部６２によって、自動車が急制動の状態にあることが検出された場合にのみ、視聴者が映像（コンテンツ）を見ていないと判定してもよい。
【００４５】
このように、判定部３０が、視聴者が記録再生部３によって提供されている映像（コンテンツ）を見ていないと判定すると、判定出力部１２は、判定部３０によって判定された視聴者がコンテンツの視聴を中断した時点を特定する判定情報を記録再生制御部２へ出力する。出力された判定情報に基づく記録再生装置１０の動作は、実施の形態１と同様である。すなわち、位置記憶部１３は、視聴者がコンテンツの視聴を中断した時点でのコンテンツの記録開始点又は再生点を記憶する。
【００４６】
以上のように、本実施の形態３における記録再生装置１０は、現在放送中番組を表示中又は記録媒体に記録されているコンテンツ再生中に、視聴者が画面切替操作を伴わない何らかの原因で視聴をやめた場合でも、視聴をやめた時点での記録媒体におけるコンテンツの位置を記憶する。記録再生装置１０は、その位置を利用することにより、後に、視聴者が視聴をやめた時点からコンテンツの再生を再開させることができ、この発明の実用性は極めて高い。
【００４７】
なお、視聴者がコンテンツを視聴しているかどうかの判定に用いる手段は、眼球運動解析部２１、脈拍測定部２３、マイク２５、電波測定部２７、視聴者動作検出部２９、加速度測定部６１のみに限定されない。また、眼球運動解析部２１及び視線方向検出部２２、眼球運動解析部２１及び脈拍測定部２３及び睡眠検出部２４、マイク２５及び発話検出部２６、電波測定部２７及び着信検出部２８、視聴者動作検出部２９、加速度測定部６１及び走行状態検出部６２のうちの一部のみが記録再生装置１０に設けられていてもよい。
【産業上の利用可能性】
【００４８】
本発明にかかる視聴中断位置記憶装置は、視聴者が画面切替操作を行なわずにコンテンツの視聴を中断した場合、視聴を中断した時点での記録媒体におけるコンテンツの位置を記憶することができ、また、本発明にかかる再生装置及び記録装置は、視聴者が画面切替操作を行なわずにコンテンツの視聴を中断した後に視聴を再開した場合、視聴を中断した時点からコンテンツを視聴可能とする。本発明の視聴中断位置記憶装置、再生装置及び記録装置は、上述した効果を有し、視聴者がコンテンツの視聴を中断した時点での記録媒体におけるそのコンテンツの位置を記憶する視聴中断位置記憶装置、並びにその視聴中断位置記憶装置を備える再生装置及び記録装置等として有用である。
【図面の簡単な説明】
【００４９】
【図１】本発明の実施の形態１における記録再生装置１０の構成を示すブロック図である。
【図２】本発明の実施の形態１における記録再生装置１０の視聴状態判定部１１の構成を示すブロック図である。
【図３】本発明の実施の形態１における記録再生装置１０の視聴状態判定部１１の動作の流れを示すフローチャートである。
【図４】位置記憶部１３が記憶する情報の一例を示す図である。
【図５】本発明の実施の形態２における記録再生装置１０の視聴状態判定部１１の構成を示すブロック図である。
【図６】本発明の実施の形態３における記録再生装置１０の視聴状態判定部１１の構成を示すブロック図である。
【図７】従来の映像再生装置の構成を示す図である。
【符号の説明】
【００５０】
１  視聴中断位置記憶装置
２  記録再生制御部
３  記録再生部
４  記憶部
５  再生再開指示部
６  記録媒体
１０  記録再生装置
１１  視聴状態判定部
１２  判定出力部
１３  位置記憶部
２１  眼球運動解析部
２２  視線方向検出部
２３  脈拍測定部
２４  睡眠検出部
２５  マイク
２６  発話検出部
２７  電波測定部
２８  着信検出部
２９  視聴者動作検出部
３０  判定部
５１  車速測定部
５２  運転検出部
６１  加速度測定部
６２  走行状態検出部
７１  切り替え検出部
７２  メニュー検出部
７３  メニュー解除部
７４  位置記憶部
７５  再生再開部
【図１】
2005218025.tif 000003
【図２】
2005218025.tif 000004
【図３】
2005218025.tif 000005
【図４】
2005218025.tif 000006
【図５】
2005218025.tif 000007
【図６】
2005218025.tif 000008
【図７】
2005218025.tif 000009